(57)【要約】【課題】挿通部から水が入ることを長期にわたって防止することができ、かつ、容易に組み立てられる電気接続箱を提供する。【解決手段】電気接続箱１は、フレーム２と、ロアカバーと、電線束Ｗが通される挿通部９とを備えている。挿通部９は、フレーム２に一体形成された断面半円形状の挿通部第１分割片７と、ヒンジ部を介してロアカバーに一体形成された断面半円形状の挿通部第２分割片８とで構成されている。挿通部第２分割片８は、無負荷状態で挿通部第１分割片７から最も離れた位置に位置付けられる。分割片７，８には、結束バンド１０が通される結束バンド挿通部１１，１２，１３が設けられている。挿通部第２分割片８の無負荷状態において、結束バンド挿通部１１に結束バンド１０を通すと、該結束バンド１０が次の結束バンド挿通部１２に案内されて全ての結束バンド挿通部１１，１２，１３に通される。【選択図】図６
2014108036.tif 000002
【特許請求の範囲】
【請求項１】
部品が取り付けられるフレームと、該フレームに取り付けられるカバーと、電線束が通される挿通部と、を備え、
前記挿通部が、前記フレームに一体形成され、該フレームの外側に突出した挿通部第１分割片と、弾性変形可能なヒンジ部を介して前記カバーに一体形成され、該カバーの外側に突出し、前記挿通部第１分割片との間に前記電線束を位置付ける挿通部第２分割片と、で構成され、
前記挿通部第２分割片を、用いられる電線束の太さに応じて変位させ該電線束に沿わせて使用する電気接続箱において、
前記挿通部第１分割片及び前記挿通部第２分割片に、当該挿通部第１分割片及び挿通部第２分割片と前記電線束とを共締めする結束バンドが通される結束バンド挿通部が設けられ、
前記挿通部第２分割片が、無負荷状態で前記挿通部第１分割片から最も離れた位置に位置付けられるように形成されており、
前記カバーが前記フレームに取り付けられた状態かつ前記挿通部第２分割片の無負荷状態において、一番目に通されるべき結束バンド挿通部に結束バンドを通すと、該結束バンドが次の結束バンド挿通部に案内されて全ての結束バンド挿通部に通される
ことを特徴とする電気接続箱。
【請求項２】
前記複数の結束バンド挿通部は、前記結束バンドが通される順にしたがって前記結束バンドの幅方向の内寸が小さくなるように形成されている
ことを特徴とする請求項１に記載の電気接続箱。
【請求項３】
前記電線束を前記挿通部第１分割片に沿わせた状態で前記カバーを前記フレームに取り付け、
前記挿通部第２分割片の無負荷状態において前記結束バンドを全ての結束バンド挿通部に通し、
その後、前記挿通部第２分割片を前記電線束に沿わせて、前記結束バンドによって前記挿通部第１分割片及び前記挿通部第２分割片と前記電線束とを共締めして組み立てた
ことを特徴とする請求項１又は請求項２に記載の電気接続箱。
【請求項４】
前記挿通部第１分割片に、当該挿通部第１分割片と前記電線束とを共締めする第２の結束バンドが通される第２の結束バンド挿通部が設けられており、
前記カバーを前記フレームに取り付ける前に前記第２の結束バンドによって前記電線束を前記挿通部第１分割片に固定した
ことを特徴とする請求項３に記載の電気接続箱。
【発明の詳細な説明】
【技術分野】
【０００１】
本発明は、自動車に搭載される電気接続箱に関するものである。
【背景技術】
【０００２】
自動車に搭載される電気接続箱には様々な構造のものがあるが、図７に示すように、部品が取り付けられるフレーム３０１と、フレーム３０１に取り付けられるロアカバー３０２と、電線束３２０が通される挿通部３２１と、を備えた構造のものが公知である（特許文献１を参照。）。
【０００３】
上記挿通部３２１は、フレーム３０１の側壁から斜め下向きに突出形成された樋状の挿通部第１分割片３０５と、ロアカバー３０２の底壁から斜め下向きに突出形成された樋状の挿通部第２分割片３０７と、で構成されている。また、挿通部第１分割片３０５の外面及び挿通部第２分割片３０７の外面には、テープ滑り止め用のリブ３０８，３０９，３１０が設けられている。
【０００４】
上記電気接続箱を組み立てる際は、電線束３２０を結束バンドで挿通部第１分割片３０５に固定し、その状態でロアカバー３０２をフレーム３０１に取り付ける。このことにより、電線束３２０が挿通部第１分割片３０５と挿通部第２分割片３０７との間に位置付けられる。そして、挿通部３２１と電線束３２０との間から水が入ることを防止するために、挿通部３２１の外周及び電線束３２０の外周にテープ２３を巻き付ける。
【先行技術文献】
【特許文献】
【０００５】
【特許文献１】特開２０１２−２２８０８０号公報
【発明の概要】
【発明が解決しようとする課題】
【０００６】
しかしながら、図７に示した電気接続箱においては、以下に示す問題があった。すなわち、上述した電気接続箱は、挿通部３２１の外周及び電線束３２０の外周にテープ３２３を巻き付けることにより挿通部３２１と電線束３２０との間から水が入ることを防止しているが、電気接続箱を長期間使用している間にテープ３２３が剥がれてしまうことがあり、防水機能を長期にわたって維持することができないという問題があった。また、挿通部３２１は、テープ３２３を巻くための巻きしろを設定する必要があるので、電気接続箱が大型化してしまうという問題があった。
【０００７】
また、上述した電気接続箱は、テープ巻きをする前に電線束３２０を結束バンドで挿通部第１分割片３０５に固定しているが、角張った形状の挿通部第１分割片３０５と電線束３２０とを共締めしているので、結束バンドで固定している状態でも電線束３２０が挿通部第１分割片３０５に対して位置ずれし易いという問題があった。さらに、電線束３２０が位置ずれすることが、テープ３２３が剥がれる要因の一つになっているという問題があった。
【０００８】
したがって、本発明は、挿通部から水が入ることを長期にわたって防止することができ、かつ、容易に組み立てられる電気接続箱を提供することを目的とする。
【課題を解決するための手段】
【０００９】
上記目的を達成するために請求項１に記載された発明は、部品が取り付けられるフレームと、該フレームに取り付けられるカバーと、電線束が通される挿通部と、を備え、前記挿通部が、前記フレームに一体形成され、該フレームの外側に突出した挿通部第１分割片と、弾性変形可能なヒンジ部を介して前記カバーに一体形成され、該カバーの外側に突出し、前記挿通部第１分割片との間に前記電線束を位置付ける挿通部第２分割片と、で構成され、前記挿通部第２分割片を、用いられる電線束の太さに応じて変位させ該電線束に沿わせて使用する電気接続箱において、前記挿通部第１分割片及び前記挿通部第２分割片に、当該挿通部第１分割片及び挿通部第２分割片と前記電線束とを共締めする結束バンドが通される結束バンド挿通部が設けられ、前記挿通部第２分割片が、無負荷状態で前記挿通部第１分割片から最も離れた位置に位置付けられるように形成されており、前記カバーが前記フレームに取り付けられた状態かつ前記挿通部第２分割片の無負荷状態において、一番目に通されるべき結束バンド挿通部に結束バンドを通すと、該結束バンドが次の結束バンド挿通部に案内されて全ての結束バンド挿通部に通されることを特徴とする電気接続箱である。
【００１０】
請求項２に記載された発明は、請求項１に記載された発明において、前記複数の結束バンド挿通部は、前記結束バンドが通される順にしたがって前記結束バンドの幅方向の内寸が小さくなるように形成されていることを特徴とするものである。
【００１１】
請求項３に記載された発明は、請求項１又は請求項２に記載された発明において、前記電線束を前記挿通部第１分割片に沿わせた状態で前記カバーを前記フレームに取り付け、前記挿通部第２分割片の無負荷状態において前記結束バンドを全ての結束バンド挿通部に通し、その後、前記挿通部第２分割片を前記電線束に沿わせて、前記結束バンドによって前記挿通部第１分割片及び前記挿通部第２分割片と前記電線束とを共締めして組み立てたことを特徴とするものである。
【００１２】
請求項４に記載された発明は、請求項３に記載された発明において、前記挿通部第１分割片に、当該挿通部第１分割片と前記電線束とを共締めする第２の結束バンドが通される第２の結束バンド挿通部が設けられており、前記カバーを前記フレームに取り付ける前に前記第２の結束バンドによって前記電線束を前記挿通部第１分割片に固定したことを特徴とするものである。
【発明の効果】
【００１３】
請求項１に記載された発明によれば、挿通部第２分割片を用いられる電線束の太さに応じて変位させ該電線束に沿わせることができるので、挿通部と電線束とを密着させることができ、挿通部と電線束との間から水が入ることを防止できる。このことによりテープ巻きを廃止することができるので、挿通部にテープの巻きしろを設ける必要がなく、該挿通部を小型化できる。また、挿通部第１分割片及び挿通部第２分割片と電線束とを共締めした結束バンドは、テープと違って剥がれることがないので、挿通部と電線束との間から水が入ることを長期にわたって防止することができる。さらに、カバーがフレームに取り付けられた状態かつ挿通部第２分割片の無負荷状態において、一番目に通されるべき結束バンド挿通部に結束バンドを通すと、該結束バンドが次の結束バンド挿通部に案内されて全ての結束バンド挿通部に通されるので、結束バンドの挿通作業を容易に行うことができる。よって、挿通部から水が入ることを長期にわたって防止することができ、かつ、容易に組み立てられる電気接続箱を提供することができる。
【００１４】
請求項２に記載された発明によれば、前記複数の結束バンド挿通部は、前記結束バンドが通される順にしたがって前記結束バンドの幅方向の内寸が小さくなるように形成されているので、結束バンドの挿通作業性を低下させることなく、かつ、電線束を固定した状態では結束バンドが位置ずれすることを防止することができる。
【００１５】
請求項３に記載された発明によれば、前記電線束を前記挿通部第１分割片に沿わせた状態で前記カバーを前記フレームに取り付け、前記挿通部第２分割片の無負荷状態において前記結束バンドを全ての結束バンド挿通部に通し、その後、前記挿通部第２分割片を前記電線束に沿わせて、前記結束バンドによって前記挿通部第１分割片及び前記挿通部第２分割片と前記電線束とを共締めして組み立てることにより、タクトタイムが短縮され、製造コストを低減することができる。
【００１６】
請求項４に記載された発明によれば、前記挿通部第１分割片に、当該挿通部第１分割片と前記電線束とを共締めする第２の結束バンドが通される第２の結束バンド挿通部が設けられており、前記カバーを前記フレームに取り付ける前に前記第２の結束バンドによって前記電線束を前記挿通部第１分割片に固定することにより、挿通部と電線束とをより密着させることができる。また、カバーをフレームに取り付ける作業や、結束バンドによって挿通部第１分割片及び挿通部第２分割片と電線束とを共締めする作業を容易にすることができる。
【図面の簡単な説明】
【００１７】
【図１】本発明の一実施形態にかかる電気接続箱の斜視図である。
【図２】図１に示された電気接続箱の分解図である。
【図３】図１に示された挿通部の拡大図である。
【図４】図３に示された挿通部の側面図である。
【図５】図４に示された挿通部のＡ−Ａ線に沿った断面図である。
【図６】図５に示された結束バンド挿通部に結束バンドが通された状態を示す断面図である。
【図７】従来の電気接続箱に設けられた挿通部の側面図である。
【発明を実施するための形態】
【００１８】
本発明の一実施形態にかかる「電気接続箱」を図１〜６を参照して説明する。本発明の電気接続箱は、自動車に搭載されて、前記自動車に搭載された電子機器に対して電力供給及び信号伝達を行うものである。
【００１９】
上記電気接続箱１は、図１，２に示すように、枠状の周壁２１を有するフレーム２と、フレーム２の内側に組み付けられるカセットブロック６と、カセットブロック６に取り付けられる複数の部品と、周壁２１の一部を切り欠いた切り欠き２３を塞ぐようにフレーム２に取り付けられるサイドカバー５と、フレーム２の上面２ａに取り付けられるアッパカバー３と、フレーム２の下面２ｂに取り付けられるロアカバー４（請求項中の「カバー」に相当する。）と、電線束Ｗが通される挿通部９と、を備えている。フレーム２、カセットブロック６、サイドカバー５、アッパカバー３、ロアカバー４は、合成樹脂で構成されている。
【００２０】
また、本実施形態では、フレーム２とカセットブロック６とが別体であるが、フレーム２にカセットブロック６が一体形成されていても良い。
【００２１】
上記挿通部９は、図３，４に示すように、フレーム２に一体形成され、フレーム２の外側すなわち周壁２１の外側に突出した挿通部第１分割片７と、弾性変形可能なヒンジ部８ａを介してロアカバー４に一体形成され、ロアカバー４の外側に突出し、挿通部第１分割片７との間に電線束Ｗを位置付ける挿通部第２分割片８と、で構成されている。挿通部第１分割片７及び挿通部第２分割片８は、断面半円形状に形成されている。ヒンジ部８ａは、他の部分よりも薄肉に形成されたセルフヒンジである。電線束Ｗは、カセットブロック６に取り付けられた部品に電気接続された電線を束ねたものである。
【００２２】
上記挿通部第２分割片８は、用いられる電線束Ｗの太さに応じてヒンジ部８ａを中心に変位させ、該電線束Ｗに沿わせて使用する。上記挿通部第１分割片７は周壁２１との位置関係が常に一定であり、変位しない。また、挿通部第２分割片８は、無負荷状態すなわち自然状態で挿通部第１分割片７から最も離れた位置に位置付けられるように形成されている。
【００２３】
図５，６に示すように、挿通部第１分割片７及び挿通部第２分割片８には、当該挿通部第１分割片７及び挿通部第２分割片８と電線束Ｗとを共締めする結束バンド１０が通される結束バンド挿通部１１，１２，１３が設けられている。結束バンド１０は、周知の構成のものであり、帯状のバンド部１０ａと、バンド部１０ａの一端に設けられたバンド固定部１０ｂと、で構成されている。結束バンド挿通部１１は、挿通部第２分割片８の外面における周方向の一端に設けられている。結束バンド挿通部１２，１３は、挿通部第１分割片７の内面に互いに間隔をあけて設けられている。
【００２４】
上記結束バンド１０のバンド部１０ａは、図６に示すように、ロアカバー４がフレーム２に取り付けられた状態かつ挿通部第２分割片８の無負荷状態において、結束バンド挿通部１１（請求項中の「一番目に通されるべき結束バンド挿通部」に相当する。）に時計回りに通されることで、その先端が挿通部第１分割片７と挿通部第２分割片８との間の空間に位置付けられる。この状態でバンド部１０ａをさらに挿入すると、バンド部１０ａの先端は、挿通部第１分割片７の内面に当たることにより結束バンド挿通部１２に案内される。同様に、バンド部１０ａをさらに挿入すると、バンド部１０ａの先端は、挿通部第１分割片７の内面に当たることにより結束バンド挿通部１３に案内される。そして、結束バンド挿通部１３を通されたバンド部１０ａの先端は、挿通部第２分割片８の周方向の他端と挿通部第１分割片７の端との間に位置する出口１４を通されて、挿通部第１分割片７と挿通部第２分割片８との間の空間の外に出てくる。
【００２５】
こうして外に出てきたバンド部１０ａの先端をバンド固定部１０ｂに通し、挿通部第２分割片８を挿通部第１分割片７側に変位させて電線束Ｗに沿わせつつ、バンド部１０ａをバンド固定部１０ｂから引き出して挿通部第１分割片７、挿通部第２分割片８及び電線束Ｗを締め付けることにより、挿通部９と電線束Ｗとが密着した状態で固定される。
【００２６】
このように、挿通部９は、ロアカバー４がフレーム２に取り付けられた状態かつ挿通部第２分割片８の無負荷状態において、一番目に通されるべき結束バンド挿通部１１に結束バンド１０を通すと、結束バンド１０が次の結束バンド挿通部１２に案内されて全ての結束バンド挿通部１１，１２，１３に通されるように、各結束バンド挿通部１１，１２，１３の位置と、挿通部第１分割片７及び挿通部第２分割片８の曲率と、が調整されている。このことにより、挿通部第２分割片８を支えておかなくても、結束バンド１０の挿通作業を容易に行うことができる。なお、挿通部第２分割片８を挿通部第１分割片７側に変位させた状態では、結束バンド１０を全ての結束バンド挿通部１１，１２，１３に通すことはできない。
【００２７】
さらに、結束バンド挿通部１１，１２，１３は、結束バンド１０が通される順にしたがって結束バンド１０の幅方向の内寸が小さくなるように形成されている。このことにより、結束バンド１０の挿通作業性を低下させることなく、かつ、電線束Ｗを固定した状態では結束バンド１０が電線束Ｗの長手方向に位置ずれすることを防止することができる。
【００２８】
さらに、挿通部第１分割片７の内面には、挿通部第１分割片７と電線束Ｗとを共締めする第２の結束バンド（不図示）が通される第２の結束バンド挿通部１５が設けられている。第２の結束バンド挿通部１５は、図３に示すように、上記結束バンド挿通部１２，１３よりも周壁２１から離れた側に設けられている。
【００２９】
続いて、上記電気接続箱１の組み立て手順について説明する。まず、フレーム２にカセットブロック６を取り付け、各種部品をカセットブロック６に取り付ける。続いて、サイドカバー５とアッパカバー３をフレーム２に取り付ける。次に、ロアカバー４をフレーム２に取り付ける前に、第２の結束バンドによって電線束Ｗを挿通部第１分割片７に固定しておき、この状態でロアカバー４をフレーム２に取り付ける。そして、上述したように、挿通部第２分割片８の無負荷状態において結束バンド１０を全ての結束バンド挿通部１１，１２，１３に通し、挿通部第２分割片８を電線束Ｗに沿わせて、結束バンド１０によって挿通部第１分割片７及び挿通部第２分割片８と電線束Ｗとを共締めする。このような手順を経て、電気接続箱１が組み立てられる。
【００３０】
上述した電気接続箱１によれば、挿通部９と電線束Ｗとを密着させることができるので、挿通部９と電線束Ｗとの間から水が入ることを防止できる。このことにより、従来から行われていたテープ巻きを廃止することができるので、挿通部９にテープの巻きしろを設ける必要がなく、挿通部９を小型化できる。また、挿通部第１分割片７及び挿通部第２分割片８と電線束Ｗとを共締めした結束バンド１０は、テープと違って剥がれることがないので、挿通部９と電線束Ｗとの間から水が入ることを長期にわたって防止することができる。また、電気接続箱１は、挿通部９にテープ巻きする必要がない上に、上述したように結束バンド１０の挿通作業を容易に行うことができるので、タクトタイムが短縮され、製造コストを低減することができる。
【００３１】
なお、上述した実施形態では、組み立て作業の効率化を図るため、また、挿通部９と電線束Ｗとをより密着させるために、ロアカバー４をフレーム２に取り付ける前に第２の結束バンドによって電線束Ｗを挿通部第１分割片７に固定する構成であったが、本発明においては、挿通部第１分割片７に第２の結束バンド挿通部１５を設け、第２の結束バンドによって電線束Ｗを挿通部第１分割片７に固定することは必須の構成ではなく、省くことも可能である。
【００３２】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３３】
１  電気接続箱
２  フレーム
４  ロアカバー（カバー）
７  挿通部第１分割片
８  挿通部第２分割片
８ａ  ヒンジ部
９  挿通部
１０  結束バンド
１１，１２，１３  結束バンド挿通部
Ｗ  電線束
【図１】
2014108036.tif 000003
【図２】
2014108036.tif 000004
【図３】
2014108036.tif 000005
【図４】
2014108036.tif 000006
【図５】
2014108036.tif 000007
【図６】
2014108036.tif 000008
【図７】
2014108036.tif 000009